(57)【要約】【課題】  所定の固定力でテンションメンバを安定させて固定できる光ケーブルのテンションメンバ固定装置を得る。【解決手段】  光ケーブルのテンションメンバ３０を配置するテーブル部３ａと突部３ｂとを設けられた台座３、テンションメンバ３０をテーブル部３ａ及び突部３ｂとともに挟み込めるように台座３に対向配置された固定部材４、固定部材４を台座３側に押圧してテンションメンバ３０を固定するための固定具５、テンションメンバ３０がテーブル部３ａと突部３ｂとに接触するよう付勢する付勢部材６備える。【選択図】  図１
2005128373.tif 000002
【特許請求の範囲】
【請求項１】
光ケーブルのテンションメンバを配置するテーブル部と前記テーブル部から立設した突部とを設けられた台座、
テンションメンバを前記テーブル部及び前記突部とともに挟み込めるように前記台座に対向配置された固定部材、
前記固定部材を前記台座側に押圧してテンションメンバを固定するための固定具、
テンションメンバが前記テーブル部と前記突部とに接触するよう付勢する付勢部材
を備えたことを特徴とする光ケーブルのテンションメンバ固定装置。
【請求項２】
台座のテーブル部は平面状であり、
前記台座の突部は前記テーブル部の縁部からほぼ直角にテンションメンバの直径よりも小さく立設し、
固定部材は板状であり一端が前記テーブル部に当接し他端が前記突部に当接可能に配置され、
固定具は前記固定部材の一端側を押圧することで前記固定部材を前記台座側に押圧し、  付勢部材は弾性を有する板状体であり、一端が前記テーブル部側で固定され他端が前記突部を超えて突出し、
前記付勢部材が前記突部を超えて突出した部分にはテンションメンバが入り込める空間を有する
ことを特徴とする請求項１に記載の光ケーブルのテンションメンバ固定装置。
【請求項３】
付勢部材はテンションメンバの長さ方向に沿った台座の両側に設けられている
ことを特徴とする請求項１又は２に記載の光ケーブルのテンションメンバ固定装置。
【請求項４】
付勢部材は他端が連なるように連結部を設けられている
ことを特徴とする請求項３に記載の光ケーブルのテンションメンバ固定装置。
【請求項５】
付勢部材は連結部が台座のテーブル部側から固定部材を支持するよう形成されている
ことを特徴とする請求項４に記載の光ケーブルのテンションメンバ固定装置。
【請求項６】
台座のテーブル部は平面状であり、
前記台座の突部は前記テーブル部の縁部からほぼ直角にテンションメンバの直径よりも小さく立設し、
固定部材は一端が前記テーブル部に当接し他端が前記突部に当接可能に配置されると共に、前記突部との当接部分に面取り部を有して前記突部との当接時に隙間を形成し、
固定具は前記固定部材の一端側に係合し、かつ第１及び第２の位置に移動可能に形成され、前記第１の位置では前記固定部材を所定範囲で移動可能とし、前記第２の位置にて前記固定部材の一端側を押圧することで前記固定部材を前記台座側に押圧し、
付勢部材は前記固定部材と前記固定具とに当接して前記固定部材を前記台座側に常時付勢する
ことを特徴とする請求項１に記載の光ケーブルのテンションメンバ固定装置。
【請求項７】
固定部材はテンションメンバへの付勢力が法線上に作用するように屈曲部を形成されていることを特徴とする請求項６に記載の光ケーブルのテンションメンバ固定装置。
【発明の詳細な説明】
【技術分野】
【０００１】
この発明は、多心光ファイバケーブルのテンションメンバを固定する装置に関するものである。
【背景技術】
【０００２】
従来の光ケーブルのテンションメンバ固定装置は、例えば、側面に貫通孔を有する筒状体と、この筒状体の内部に貫通孔を有する押圧具を移動可能に形成し、さらに押圧具をばねにより一方へ付勢して、筒状体の貫通孔を押圧具により常時閉じるように構成したものがある。この装置によれば、ばね力に抗して押圧具を移動させて筒状体の貫通孔と押圧具の貫通孔とを合わせて両貫通孔にテンションメンバを挿通可能状態とし、テンションメンバを貫通孔に挿通させ、その後押圧具に加わるばね力によりテンションメンバを固定することができる。
【０００３】
【特許文献１】特開２０００−８９０６９号公報
【発明の開示】
【発明が解決しようとする課題】
【０００４】
従来の光ケーブルのテンションメンバ固定装置は、押圧具に加わるばね力によりテンションメンバを固定する構成であるので、通常作業では人力で押圧具をばね力に抗して押し下げ、その状態でテンションメンバを筒状体に挿入することから、ばね力をあまり強くすることが難しく固定力が弱く、固定力にばらつきが生じるという問題点がある。
【０００５】
この発明は以上のような問題点を解消するためになされたもので、所定の固定力でテンションメンバを安定させて固定できる光ケーブルのテンションメンバ固定装置を得ることを目的とする。
【課題を解決するための手段】
【０００６】
この発明の光ケーブルのテンションメンバ固定装置は、光ケーブルのテンションメンバを配置するテーブル部と前記テーブル部から立設した突部とを設けられた台座、テンションメンバを前記テーブル部及び前記突部とともに挟みこめるように前記テーブル部に対向配置された固定部材、前記固定部材を前記台座側に押圧してテンションメンバを固定するための固定具、テンションメンバが前記テーブル部と前記突部とに接触するよう付勢する付勢部材を備えたものである。
【発明の効果】
【０００７】
この発明の光ケーブルのテンションメンバ固定装置によれば、付勢部材がテンションメンバをテーブル部と突部とに接触するよう付勢するので、テンションメンバの位置決めを容易にすることができる。また、テーブル部及び突部と固定部材の３個所でテンションメンバを挟み込んでいるので、テンションメンバを安定した状態で固定させることができる。さらに固定具により固定部材を押圧してテンションメンバを固定しているので安定した固定力を得ることができる。
【発明を実施するための最良の形態】
【０００８】
実施の形態１．
この発明による光ケーブルのテンションメンバ固定装置の一実施の形態を説明する。図１は、実施の形態１による光ケーブルのテンションメンバ固定装置を示す外観斜視図、図２は図１に示す矢視Ａからの側面図である。図１において、光ケーブルのテンションメンバ固定装置１は、電子機器など（不図示）を搭載した機器本体のベース部２に台座３、固定部材である金具４、固定具であるねじ５、付勢部材である板ばね６を設けられて構成されている。
【０００９】
また、図１において、台座３はアルミ材質でほぼブロック状にダイキャスト成形されている。また、台座３は、ベース部２から所定長さ離れた位置に平面状のテーブル部３ａを設けられ、その一方の縁部からほぼ直角に立設した突部３ｂを設けられている。
【００１０】
これらテーブル部３ａ及び突部３ｂはそれぞれ光ケーブル（不図示）のテンションメンバ３０とその長さ方向に沿って所定の長さで接触するように所定の幅を有している。また、図２に示すように、テーブル部３ａは、ねじ５が螺合する雌ねじ部を他方の縁部側に設けられている。また、突部３ｂの先端とベース部２との間の距離Ｂは、テンションメンバ３０の直径よりも大きく、突部３ｂの立設長さＣはテンションメンバ３０の直径よりも小さく形成されている。
【００１１】
また、図１において、金具４が台座３のテーブル部３ａと突部３ｂとに対向配置されている。この金具４は板金製であり、平板の一端側にねじ５のねじ部が貫通する貫通孔を有し、他端側が曲げ加工されてＲ面取り部４ａが形成されている。図２に示すように、金具４は、Ｒ面取り部４ａを有する曲げ部分が突部３ｂの先端に当接するように配置され、かつその当接部分は突部３ｂの先端に当接時にその先端との間に微小な隙間Ｄを形成する。
【００１２】
また、金具４もテーブル部３ａ及び突部３ｂと同様に、テンションメンバ３０の長さ方向に沿って所定の長さで接触するように所定の幅を有している。
なお、この実施の形態１では金具４を板金製としたがダイキャストなどでも良く、他端部のＲ面取り部４ａもＣ面取りでも良い。
【００１３】
また、図１において、ステンレス鋼材製の板ばね６が台座３の両側にテーブル部３ａを挟んで配置され、その一端をテーブル部３ａ側でベース部２の取付け面（この取付け面はテーブル部３ａの平面に平行に形成されている。）に固定され、他端が突部３ｂを超えて突出する大きさに形成されている。
また、板ばね６が突部３ｂを超えて突出した部分とベース部２との間には、テンションメンバ３０が入り込める空間Ｅ（図２に示す）が設けられている。
【００１４】
この実施の形態１では、図２に示すように、板ばね６がテンションメンバ３０を付勢してテンションメンバ３０がテーブル部３ａと突部３ｂとに接触している場合、板ばね６の付勢力がテンションメンバ３０に対し法線上に作用するように、テンションメンバ３０の直径約２ｍｍに対して、角度θが約４５度になるようなテーブル部３ａとベース部２との距離、板ばね６の取付け位置を設定している。
さらに、図２に二点鎖線で示すように、板ばね６の適切な付勢力が得られかつテンションメンバ３０を取付け易いように、テンションメンバ３０がない状態では板ばね６の突部３ｂに交差する部分が突部３ｂの先端よりもベース部２側に位置するように設けられている。
【００１５】
これにより、テンションメンバ３０を突部３ｂの先端と金具４との間に入れた瞬間では、板ばね６の成す角度θが４５度以上となり、突部３ｂ方向へ付勢する力が比較的大きくなり、テンションメンバ３０を容易に突部３ｂに接触する位置に配置することができる。なお、テンションメンバ３０がテーブル部３ａと突部３ｂとに接触した状態では、板ばね６の角度θが４５度なのでテーブル部３ａ側と突部３ｂ側との双方にほぼ均等の付勢力が加わり、優れた位置決め効果を有する。
【００１６】
この実施の形態１では、テンションメンバ３０がない状態では、板ばねの突部３ｂに交差する部分が突部３ｂの先端よりもベース部２側に位置するようにしているが、例えば、板ばね６よりも弾性力の大きい付勢部材を用いるならば、突部３ｂの先端よりベース部２から離れていても良い。
また、テンションメンバ３０配置後は、板ばね６の角度θが４５度になるようにしているが、板ばね６がテンションメンバ３０をテーブル部３ａ側と突部３ｂ側とに付勢できれば良く、板ばね６の角度θが約５度以上９０度未満になるように設定すれば良い。
【００１７】
次に、図により光ケーブルのテンションメンバ固定装置１によるテンションメンバ３０の固定方法を説明する。図３は、テンションメンバの固定方法を示す説明図であり、図３（ａ）はテンションメンバ取付け前を示し、図３（ｂ）はテンションメンバ取付け中を示し、図３（ｃ）はテンションメンバ取付け後を示す。図３（ａ）において、テンションメンバ３０の取付け前には、光ケーブルのテンションメンバ固定装置１のねじ５を台座３の雌ねじ部に螺合して第１の位置である仮締め位置に配置し、金具４が台座３に対向して所定範囲で揺動可能にしておく。
【００１８】
次に、図３（ａ），（ｂ）に示すように、テンションメンバ３０を空間Ｅに配置し、テンションメンバ３０を突部３ｂに軽く押し当てながら板ばね６のばね力に抗しつつ突部３ｂの先端まで移動させ、隙間Ｄにテンションメンバ３０を入れるように押し込む。これにより、金具４が突部３ｂの先端から離れるので、テンションメンバ３０を金具４と台座３との間に入れることができる。
【００１９】
この図３（ｂ）に示す状態では、板ばね６の角度θが４５度以上であるので、テンションメンバ３０に対する板ばね６の付勢力は、図３（ｂ）中の左方向への付勢力の方が下側への付勢力よりも大きい。（すなわち、さらにテンションメンバ３０を押し込んだ場合、板ばね６の付勢力は突部３ｂ側への付勢力の方がテーブル部３ａ側への付勢力よりも大きくなる。）この状態から、さらにテンションメンバ３０を図示右側に押し込むと、板ばね６の付勢力により自然にテンションメンバ３０が突部３ｂの先端側から側面側に移動し、図３（ｃ）に示すようにテンションメンバ３０がテーブル部３ａと突部３ｂに接触した位置決め部に配置される。
【００２０】
この図３（ｃ）に示す状態では、板ばね６の付勢力がテンションメンバ３０に対してテーブル部３ａ側と突部３ｂ側とにほぼ均等に加わっているので、テンションメンバ３０が安定して位置決めされている。
【００２１】
次に、ねじ５を締結方向に回動して第２の位置である本締め位置に配置することにより、金具４を台座３側に押圧してテンションメンバ３０をテーブル部３ａ及び突部３ｂと金具４により３箇所で挟みこみ固定する。
【００２２】
以上説明したように、この実施の形態１による光ケーブルのテンションメンバ固定装置１によれば、テンションメンバ３０を配置するテーブル部３ａと突部３ｂとを設けられた台座３、テンションメンバ３０をテーブル部３ａ及び突部３ｂとともに挟みこめるようにテーブル部３ａに対向配置された金具４、金具４を台座３側に押圧してテンションメンバ３０を固定するためのねじ５、テンションメンバ３０がテーブル部３ａと突部３ｂとに接触するよう付勢する板ばね６を備えたので、テンションメンバ３０を３箇所で挟みこみ固定位置を安定させるとともに、板ばね６の弾性力に加え、ねじ５のねじ締めによる所定の固定力でテンションメンバ３０を安定させて固定することができる。
【００２３】
また、板ばね６がテンションメンバ３０をテーブル部３ａと突部３ｂとに接触させた位置で位置決めしているので、テンションメンバ３０の固定位置を安定させることができる。
【００２４】
また、板ばね６がテンションメンバ３０の位置決め時にテンションメンバ３０をテーブル部３ａ側と突部３ｂ側とにほぼ均等に付勢する角度になるように、テンションメンバ３０の直径に対して、テーブル部３ａとベース部２の取付け面との距離、板ばねの取付け位置を設定しているので、より安定してテンションメンバ３０を位置決めすることができる。
【００２５】
さらに、テンションメンバ３０がない状態では、板ばね６の突部３ｂに交差する部分が突部３ｂの先端よりベース部２側に位置させ、テンションメンバ３０の取付け作業中及び固定時に板ばね６が適度に弾性変形するようにしているので、テンションメンバ３０に対して適切な付勢力を加えることができる。
【００２６】
また、板ばね６を台座３の両側にテーブル部２ａを挟んで設け、テンションメンバ３０の長さ方向に沿って離間した２箇所でテンションメンバ３０を付勢するようにしているので、容易にテンションメンバ３０を台座３上のテーブル部３ａと突部３ｂに一様に接触させることができる。
【００２７】
また、テーブル部３ａ及び突部ｂ並びに金具４によりテンションメンバ３０を挟みこむとともにそれらがテンションメンバ３０の長さ方向に沿って所定長さ接触するように形成しているので、少ない当り面に固定力を加える従来装置に比してテンションメンバ３０の損傷や変形を少なくできる。
【００２８】
また、突部３ｂの側に空間Ｅを設け、金具４と突部３ｂの先端との間に隙間Ｄが生じるように金具４が台座３に対して傾斜すると共に、金具４にＲ面取り部４ａを設けているので、テンションメンバ３０の取付け作業において、前述のとおりテンションメンバ３０を容易に台座３と金具４との間に配置することができる。
なお、この実施の形態１では、金具４にＲ面取り部４ａを設けて隙間Ｄを形成したが、突部３ｂの先端にＲ面取りまたはＣ面取りを設けて隙間Ｄを形成しても良いことは言うまでもない。また、テンションメンバ３０の固定作業において、テンションメンバ３０の配置を片手でもできるので、もう片手で電気ドライバー等によりねじ５を締結させるようにすれば作業効率を向上させることができる。
【００２９】
実施の形態２．
この発明による光ケーブルのテンションメンバ固定装置の他の実施態様を説明する。図４は実施の形態２による光ケーブルのテンションメンバを示す説明図である。図において、図１乃至図３と同一符号は同一または相当部分を示し説明を省略する。光ケーブルのテンションメンバ固定装置１ａは、略コ字状の板ばね６ａを有している。この板ばね６ａは図１乃至図３に示す台座３の両側に設けられた板ばね６を一体化したものであり連結部６ａ１を有している。テンションメンバ３０の固定方法は、図１乃至図３に示すものと同等なので説明を省略する。この実施の形態２による光ケーブルのテンションメンバ固定装置１ａによれば、板ばね６ａを一体化することで、図１に示す光ケーブルのテンションメンバ固定装置１の効果に加え、部品点数を削減できるという効果がある。
【００３０】
実施の形態３．
この発明による光ケーブルのテンションメンバ固定装置の他の実施態様を説明する。図５は実施の形態３による光ケーブルのテンションメンバ固定装置を示す説明図である。図において、図１乃至図４と同一符号は同一または相当部分を示し説明を省略する。図において、光ケーブルのテンションメンバ固定装置１ｂは、略コ字状の板ばね６ｂを有し、板ばね６ｂには連結部６ｂ１と連結部６ｂ１の中央部分に金具４をテーブル部３ａ側から支持する支持片６ｂ２を有している。テンションメンバ３０の固定方法は、図１乃至図４に示すものと同等なので説明を省略するが、特に板ばね６ｂの新たな作用のみ説明すると、支持片６ｂ２が金具４を支持しているので、テンションメンバ３０を突部３ｂに軽く当てながら突部３ｂの先端側へ板ばね６ｂのばね力に抗して移動させると、支持片６ｂ２が金具４を突部３ｂから離間する方向へ移動させる。したがって、この実施の形態３によるテンションメンバ固定装置１ｂによれば、図１に示すテンションメンバ固定装置１の効果に加え、テンションメンバ３０を金具４と台座３との間に入れ易く、作業効率を向上できるという効果がある。
【００３１】
実施の形態４．
この発明による光ケーブルのテンションメンバ固定装置の他の実施態様を説明する。図６は実施の形態４による光ケーブルのテンションメンバ固定装置を示す説明図、図７は図６に示す矢視Ａ１からの側面図である。図において、図１乃至図５と同一符号は同一または相当部分を示し説明を省略する。図６において、光ケーブルのテンションメンバ固定装置１ｃは、電子機器など（不図示）を搭載した機器本体のベース部２に台座３、固定部材である金具７、固定具であるねじ８、付勢部材であるコイルばね９を設けられて構成されている。
【００３２】
また、図６において、金具７が台座３のテーブル部３ａと突部３ｂとに対向配置されている。この金具７は板金製であり、金具４（図１に示す）と同様にＲ面取り部７ａが形成されると共に、一端側に絞り加工により形成された筒状の係合部７ｂ（図７に示す）を有している。この係合部７ｂにはねじ８のねじ部が貫通する。図７に示すように、金具７は、Ｒ面取り部７ａを有する曲げ部分が突部３ｂの先端に当接するように配置され、かつその当接部分は突部３ｂの先端に当接時に先端との間に微小な隙間Ｄを形成する。また、係合部７ｂは、ねじ８の本締結時にねじ８に当接され押圧される。
【００３３】
また、金具７もテーブル部３ａ及び突部３ｂと同様に、テンションメンバ３０の長さ方向に沿って所定の長さで接触するように所定の幅を有している。
なお、この実施の形態１では金具７を板金製としたがダイキャストなどでも良く、他端部のＲ面取り部７ａもＣ面取りでも良い。
【００３４】
また、図６において、付勢部材であるコイルばね９が金具７とねじ８との間に設けられている。コイルばね９は一端側が係合部７ｂの立設部分の周囲に当接し、他端側がねじ８のねじ頭に当接して金具７を台座３ａのテーブル部３ａ側及び突部３ｂ側に常時付勢するように取付けられている。
【００３５】
次に、光ケーブルのテンションメンバ固定装置１ｃによるテンションメンバ３０の固定方法を説明する。図８は、テンションメンバの固定方法を示す説明図であり、図８（ａ）はテンションメンバ取付け前を示し、図８（ｂ）はテンションメンバ取付け中を示し、図８（ｃ）はテンションメンバ取付け後を示す。図８（ａ）において、テンションメンバ３０の取付け前には、光ケーブルのテンションメンバ固定装置１のねじ８を台座３の雌ねじ部に螺合して第１の位置である仮締め位置に配置し、係合部７ｂの先端とねじ８のねじ頭との間を所定長さ離間させて、金具７が台座３に対向して所定範囲で揺動可能にしておく。
【００３６】
次に、図８（ａ），（ｂ）に示すように、テンションメンバ３０を空間Ｅに配置し、テンションメンバ３０を突部３ｂに軽く押し当てながら板ばね６のばね力に抗しつつ突部３ｂの先端まで移動させ、隙間Ｄにテンションメンバ３０を入れるように押し込む。これにより、金具７が突部３ｂの先端から離れるので、テンションメンバ３０を金具７と台座３との間に入れることができる。
【００３７】
この図８（ｂ）に示す状態では、コイルばね９が金具７を介してテンションメンバ３０を台座３側へ付勢している。この状態から、さらにテンションメンバ３０を図示右側に押し込むと、コイルばね９の付勢力により自然にテンションメンバ３０が突部３ｂの先端側から側面側に移動し、図８（ｃ）に示すようにテンションメンバ３０がテーブル部３ａと突部３ｂに接触した位置決め部に配置される。
【００３８】
次に、ねじ８を締結方向に回動させて第２位置である本締め位置に移動させることにより、ねじ８のねじ頭が係合部７ｂに当接して金具７を台座３側に押圧し、テンションメンバ３０をテーブル部３ａ及び突部３ｂと金具７により３箇所で挟みこみ固定する。
【００３９】
以上説明したように、この実施の形態４による光ケーブルのテンションメンバ固定装置１ｃによれば、ねじ８がテンションメンバ３０をテーブル部３ａに配置するための仮締め位置とテンションメンバ３０を固定する本締め位置とに移動可能に設けられ、金具７はねじ８が仮締め位置に位置する場合に所定間隔で移動可能に設けられ、コイルばね９は金具７とねじ８とに当接して設けられて金具７を介してテンションメンバ３０がテーブル部３ａと突部３ｂとに接触するように付勢するので、図１に示す光ケーブルのテンションメンバ固定装置１と同等の効果を有すると共に簡易な構造とすることができる。
【００４０】
実施の形態５．
この発明による光ケーブルのテンションメンバ固定装置の他の実施態様を説明する。図９は実施の形態５による光ケーブルのテンションメンバ固定装置を示す説明図である。図において、図１乃至図８と同一符号は同一または相当部分を示し説明を省略する。図９において、光ケーブルのテンションメンバ固定装置１ｄは、電子機器など（不図示）を搭載した機器本体のベース部２に台座３、固定部材である金具１０、固定具であるねじ８、付勢部材であるコイルばね９を設けられて構成されている。
【００４１】
また、図９において、金具１０が台座３のテーブル部３ａと突部３ｂとに対向配置されている。この金具１０は金具７（図６に示す）と同様に板金製であり、その構造もほとんど一致しており、金具１０のＲ面取り部１０ａはＲ面取り部７ａ（図６に示す）に相当し、係合部１０ｂは係合部７ｂ（図６に示す）に相当する。また、金具１０は屈曲部１０ｃを有しており、テンションメンバ３０がテーブル部３ａと突部３ｂとに接触している場合、金具１０を介したコイルばね９の付勢力がテンションメンバ３０に対し法線上に作用するように設定されている。
【００４２】
また、金具１０もテーブル部３ａ及び突部３ｂと同様に、テンションメンバ３０の長さ方向に沿って所定の長さで接触するように所定の幅を有している。
なお、この実施の形態５では金具１０を板金製としたがダイキャストなどでも良く、他端部のＲ面取り部１０ａもＣ面取りでも良い。
【００４３】
この実施の形態５によるテンションメンバ固定装置１ｄによるテンションメンバ固定方法は、図６に示すテンションメンバ固定装置と同等なので説明を省略する。この光ケーブルのテンションメンバ固定装置１ａによれば、金具１０にテンションメンバ３０への付勢力がその法線上に作用するように形成した屈曲部１０ｃを有するので、図６に示す光ケーブルのテンションメンバ固定装置１ｃの効果に加え、テンションメンバ３０を安定させて位置決め固定できるという効果がある。
【図面の簡単な説明】
【００４４】
【図１】この発明の実施の形態１による光ケーブルのテンションメンバ固定装置を示す説明図である。
【図２】図１に示す矢視Ａからの側面図である。
【図３】テンションメンバの固定方法を示す説明図である。
【図４】この発明の実施の形態２による光ケーブルのテンションメンバ固定装置を示す説明図である。
【図５】この発明の実施の形態３による光ケーブルのテンションメンバ固定装置を示す説明図である。
【図６】この発明の実施の形態４による光ケーブルのテンションメンバ固定装置を示す説明図である。
【図７】図６に示す矢視Ａ１からの側面図である。
【図８】テンションメンバの固定方法を示す説明図である。
【図９】この発明の実施の形態５による光ケーブルのテンションメンバ固定装置を示す説明図である。
【符号の説明】
【００４５】
１〜１ｄ  光ケーブルのテンションメンバ固定装置、  ２  ベース部、  ３  台座、  ３ａ  テーブル部、  ３ｂ  突部、  ４  金具、  ４ａ  Ｒ面取り部、  ５  ねじ、  ６  板ばね、  ７  金具、  ７ａ  Ｒ面取り部、  ７ｂ  係合部、  ８  ねじ、  ９  コイルばね、  １０  金具、  １０ａ  Ｒ面取り部、  １０ｂ  係合部、  １０ｃ  屈曲部。
【図１】
2005128373.tif 000003
【図２】
2005128373.tif 000004
【図３】
2005128373.tif 000005
【図４】
2005128373.tif 000006
【図５】
2005128373.tif 000007
【図６】
2005128373.tif 000008
【図７】
2005128373.tif 000009
【図８】
2005128373.tif 000010
【図９】
2005128373.tif 000011